(57)【特許請求の範囲】
【請求項１】
第１底壁２外周から第１胴部３を、かつ該第１胴部上端から肩部４を介して、口頸部５をそれぞれ起立し、該口頸部の下部を大径部として該大径部の外面に切欠き７付きの第１係合突条８を周設した容器本体１と、
第２底壁12外周から第１胴部３よりも大径の第２胴部13を、該第２胴部内に第１胴部を遊挿させて起立し、該第２胴部上端から下内方へ下部小径の吊下げ筒14を垂下して該吊下げ筒の下部内面には回止め突部15を有する第２係合突条16を周設し、又それ等第２胴部の上部から第２係合突条付きの吊下げ筒下端まで複数の割溝17を縦設して、各割溝間部分を弾性変形可能に形成し、更に第２底壁内面からは複数のバネ板18を起立するカバー筒11と、
上記口頸部外面へ螺合させたキャップ31とからなり、
上記回止め突部15を切欠き７内へ嵌合させて第１係合突条８下面へ第２係合突条16を係合させ、かつ吊下げ筒14下端を肩部上面へ当接させてカバー筒内へ容器本体を吊持ちさせると共に、上記バネ板上部を容器本体底部の外周面へほぼ等間隔に弾性に抗して圧接させ、
又キャップ頂壁の上面の左右ないし前後方向中間部からは弾性薄板34を起立した
ことを特徴とする衝撃吸収容器。
【請求項２】
第２底壁12を半球面状に下方へ突設して形成すると共に、該第２底壁の中心部に透孔19を穿設し、該透孔周縁との間に適宜間隙をおいた第２底壁中央部から第２胴部13の下方部分までほぼ等間隔に、下方からみて放射状に切割溝20を穿設した
ことを特徴とする請求項１記載の衝撃吸収容器。
【請求項３】
上記カバー筒11を、弾性に富む薄肉の合成樹脂製上下二部材21、22で形成すると共に、該上下二部材の第２胴部形成部分内面には第１、第２リブ23、24を縦設しておき、
又上下方向中間部外面に仕切り壁26を周設すると共に該仕切り壁の上下筒部分外面に第１、第２凹溝27、28を縦設する中筒25を設けて、上記第１、第２リブを第１、第２凹溝内へ、又上下二部材の下端面と上端面とを仕切り壁26の上下両面へ当接させて、中筒25の上下両筒部分外面へ上下両部材21、22の下端部と上端部とをそれぞれ嵌合固着させた
ことを特徴とする請求項１又は２記載の衝撃吸収容器。
【発明の詳細な説明】
【０００１】
【発明の属する技術分野】
本発明は衝撃吸収容器に関する。
【０００２】
【従来の技術】
輸送時等において、容器体内へ収納された錠剤が衝撃を受けることを防止するために、容器体上部内へ柔軟な発泡剤を充填することが行われている。
【０００３】
【発明が解決しようとする課題】
一般に化粧品を内容物とする化粧品容器は、化粧品の特性に適するよう種々の構成のものが提供されている。例えば化粧品の中には外部衝撃を受けることで損傷、具体的には有形物が変形し、又流動物が変質等するものもあり、このような化粧品は衝撃を極端に嫌うため、特別な容器を必要とする。
【０００４】
本発明はそのような化粧品等を収納するための容器を提案するものである。
【０００５】
【課題を解決するための手段】
第１の手段として第１底壁２外周から第１胴部３を、かつ該第１胴部上端から肩部４を介して、口頸部５をそれぞれ起立し、該口頸部の下部を大径部として該大径部の外面に切欠き７付きの第１係合突条８を周設した容器本体１と、
第２底壁12外周から第１胴部３よりも大径の第２胴部13を、該第２胴部内に第１胴部を遊挿させて起立し、該第２胴部上端から下内方へ下部小径の吊下げ筒14を垂下して該吊下げ筒の下部内面には回止め突部15を有する第２係合突条16を周設し、又それ等第２胴部の上部から第２係合突条付きの吊下げ筒下端まで複数の割溝17を縦設して、各割溝間部分を弾性変形可能に形成し、更に第２底壁内面からは複数のバネ板18を起立するカバー筒11と、
上記口頸部外面へ螺合させたキャップ31とからなり、
上記回止め突部15を切欠き７内へ嵌合させて第１係合突条８下面へ第２係合突条16を係合させ、かつ吊下げ筒14下端を肩部上面へ当接させてカバー筒内へ容器本体を吊持ちさせると共に、上記バネ板上部を容器本体底部の外周面へほぼ等間隔に弾性に抗して圧接させ、
又キャップ頂壁の上面の左右ないし前後方向中間部からは弾性薄板34を起立した。
【０００６】
第２の手段として上記第１の手段を有すると共に第２底壁12を半球面状に下方へ突設して形成すると共に、該第２底壁の中心部に透孔19を穿設し、該透孔周縁との間に適宜間隙をおいた第２底壁中央部から第２胴部13の下方部分までほぼ等間隔に、下方からみて放射状に切割溝20を穿設した。
【０００７】
第３の手段として、上記第１、又は第２の手段を有すると共に上記カバー筒11を、弾性に富む薄肉の合成樹脂製上下二部材21、22で形成すると共に、該上下二部材の第２胴部形成部分内面には第１、第２リブ23、24を縦設しておき、
又上下方向中間部外面に仕切り壁26を周設すると共に該仕切り壁の上下筒部分外面に第１、第２リブを第１、第２凹溝27、28を縦設する中筒25を設けて、上記第１、第２凹溝内へ、又上下二部材の下端面と上端面とを仕切り壁26の上下両面へ当接させて、中筒25の上下両筒部分外面へ上下両部材21、22の下端部と上端部とをそれぞれ嵌合固着させた。
【０００８】
【発明の実施の形態】
以下図面について説明すると、１は容器本体で半球面状に下方へ突出する第１底壁２外周から第１胴部３を起立し、該第１胴部上端から肩部４を介して口頸部５を起立する。該口頸部の下部は、大径部６とし、該大径部の上部外面に切欠き７付きの第１係合突条８を周設している。その切欠きは図２が示すように第１係合突条８をほぼ等間隔に数箇所、図示例では二箇所上下方向に切欠いて形成すればよい。口頸部の上部外面にはキャップ螺合用の雄ねじを付設している。
【０００９】
上記容器本体１は、カバー筒11内に吊下げられている。該カバー筒は、凸半球面状に下方へ突出する第２底部12外周から、第１胴部３よりも大径の第２胴部13を起立し、該第２胴部13上部を上内方へ弯曲させ、かつその上端から下内方へ下部小径の吊下げ筒14を垂下し、該吊下げ筒の下部内面には回止め突部15を有する第２係合突条16を周設し、又それ等第２胴部13の上部から第２係合突条16付きの吊下げ筒14下面まで複数の割溝17をほぼ等間隔縦設して、それ等割溝間部分を弾性変形可能に形成し、更に第２底壁12の中央部内面からは複数のバネ板18を起立している。
【００１０】
既述第２係合突条16は、図２のように回止め突条15を切欠き７内へ嵌合させて第１係合突条８下面へ係合させ、該係合により容器本体１をカバー筒11内へ吊下げ、該容器本体の底部は既述バネ板18間へ弾性に抗し押込みしてバネ板上部をその底部外面へ圧接させ、このようにすることでカバー筒に対して容器本体が揺れても該容器本体底部がカバー筒の下部内面へ当たらないよう設けている。
【００１１】
カバー筒の第２底壁12は、図７が示すようにその中心部に透孔19を穿設し、又該透孔周縁との間に適宜間隙をおいて第２底壁の中央部から第２胴部13の下方部分までほぼ等間隔に、下方からみて放射状に切割溝20を穿設している。
【００１２】
又カバー筒11は図示のように弾性に富む薄肉の合成樹脂製上下二部材21、22で形成するとよい。上下二部材は第２胴部形成部分にそれぞれ第１、第２リブ23、24を縦設しており、又それ等両部材中間に中筒25を設けてその中筒上半に上部材下端部を、又下半に下部材上端部を、それぞれ嵌合させている。中筒25は図３が示すように上下方向中間部外面に仕切り壁26を周設し、又その仕切り壁上方と下方との筒部分外面に第１凹溝27および第２凹溝28を縦設して、それ等凹溝内に既述第１、第２リブ23、24を嵌合させ、又仕切壁上面に上部材下端を、又仕切壁下面に下部材上端を、それぞれ当接させて固定している。該固定は直接接着等させてもよく、又それ等接合部分外面に接着テープを巻き付けて行ってもよい。
【００１３】
31は容器本体口頸部外面へ頂壁32外周から垂下する周壁33を螺合させたキャップで、該キャップ頂壁の上面の左右ないし前後方向中間部からは弾性薄板34を起立している。
【００１４】
既述各部材はそれぞれ合成樹脂材で成形しているが、容器本体１は硝子で成形してもよい。
【００１５】
【発明の効果】
本発明は既述構成とするものであり、請求項１記載の場合は、カバー筒11内に容器本体１を吊持ちさせ、又その吊下げ筒14には複数の割溝17を縦設してそれ等割溝間の吊下げ筒部分を弾性変形可能に形成したから、更にカバー筒第２底壁12から起立する複数バネ板18の上部を容器本体底部の外周面へ弾性に抗して圧接させたから、カバー筒11外面に他物等が当たっても、その衝撃をカバー筒により吸収させることが出来、よって容器本体内収納物に悪影響を及ぼすことがない。
【００１６】
又キャップ頂壁からは弾性薄板34を起立したから、他物がキャップ31へ直接当たることを弾性薄板34が防止することとなる。
【００１７】
更にキャップ31は容器本体口頸部外面へ螺合させたから、打栓式の場合と違って施蓋時に容器本体に衝撃を与えることがないと共に、キャップ締付けにより容器本体口部の密閉を確実にでき、上記第１係合突条８下面への第２係合突条16係合による容器本体の吊持ちは、回止め突部15を切欠き７内へ嵌合させて行うから、カバー筒11に対して容器本体が回動することはなく、よって容器本体口頸部に対するキャップ31の螺合、螺脱が不便となることがない。
【００１８】
請求項２のようにすることで、カバー筒11の底部を弾性変形可能とし、該底部に対する衝撃を和らげることが出来る。
【００１９】
請求項３のようにすることで、カバー筒の衝撃吸収を向上させ、しかもカバー筒の作成が容易となり、上下二部材21、22の連結も容易、かつ確実とすることが出来る。
【図面の簡単な説明】
【図１】  本発明容器の縦断面図である。
【図２】  容器要部を展開して示す説明図である。
【図３】  容器一部材の斜視図である。
【図４】  容器一部材要部の斜視図である。
【図５】  図１Ａ−Ａ線を矢示方向へみた横断面図である。
【図６】  容器一部材の平面図である。
【図７】  容器一部材の底面図である。
【符号の説明】
１…容器本体                    ７…切欠き
８…第１係合突条                11…カバー筒
13…第２胴部                    14…吊下げ筒
15…回止め突部                  16…第２係合突条
18…バネ板                      25…中筒
31…キャップ
【図１】
0004716303.tif 000002
【図２】
0004716303.tif 000003
【図３】
0004716303.tif 000004
【図４】
0004716303.tif 000005
【図５】
0004716303.tif 000006
【図６】
0004716303.tif 000007
【図７】
0004716303.tif 000008